(57)【要約】【課題】入出管理を効率よく実施できるようにする。【解決手段】情報処理装置１は、キーボード５及びマウス６を操作して入力された申請情報を保存する。コード記号発行機３は、情報処理装置１から入力した申請情報をコード記号情報に変換して２次元コードを発行する。リーダー９は、発行された２次元コードから読み取った申請情報を端末１０に出力する。端末１０は、リーダー９から入力した申請情報を、通信ネットワーク１７を介して情報処理装置１に送信する。情報処理装置１は、リーダー９により読み取られた申請情報と予め登録された申請情報とを照合して入域許可又は入域禁止を示す情報を端末１０に送信する。端末１０は、情報処理装置１から送信された入域許可又は入域禁止を示す情報を受信してモニタ１１に表示する。これにより、管理区域への入域および退域の管理を効率よく実施できるようになる。【選択図】図１
2012022636.tif 000002
【特許請求の範囲】
【請求項１】
コード記号を用いた入出管理システムであって、
管理区域への入出を管理するための申請情報を入力するための情報入力部と、
前記情報入力部により入力された申請情報をコード記号情報に変換してコード記号を発行するコード記号発行機と、
前記コード記号発行機により発行されたコード記号から前記申請情報を読み取るリーダーと、
前記リーダーにより読み取られた申請情報と前記情報入力部により入力された申請情報とを照合する入出管理部と、
前記入出管理部により照合された結果を出力する出力部とを備えることを特徴とする入出管理システム。
【請求項２】
前記コード記号発行機により発行されるコード記号には、コード記号の有効期限を示す情報が含まれることを特徴とする請求項１に記載の入出管理システム。
【請求項３】
前記コード記号発行機は、前記コード記号を粘着ラベルに印刷することを特徴とする請求項１に記載の入出管理システム。
【請求項４】
前記リーダーは、
前記管理区域に入域時に前記コード記号から前記申請情報を読み取り、
前記入出管理部は、
前記リーダーにより読み取られた申請情報と前記情報入力部により入力された申請情報とを照合して一致すると入出管理状態を入域状態に設定し、
前記リーダーは、
前記管理区域から退域時に前記コード記号から前記申請情報を読み取り、
前記入出管理部は、
前記リーダーにより読み取られた申請情報と前記情報入力部により入力された申請情報とを照合して一致すると入出管理状態を前記入域状態から退域状態に設定することを特徴とする請求項１に記載の入出管理システム。
【請求項５】
コード記号を用いた入出管理方法であって、
管理区域への入出を管理するための申請情報を入力する第１のステップと、
前記第１のステップで入力された前記申請情報をコード記号情報に変換してコード記号を発行する第２のステップと、
前記第２のステップで発行された前記コード記号から前記申請情報を読み取る第３のステップと、
前記第３のステップで読み取られた前記申請情報と前記第１のステップで入力された申請情報とを照合する第４のステップと、
前記第４のステップで照合された結果を出力する第５のステップとを有することを特徴とする入出管理方法。
【発明の詳細な説明】
【技術分野】
【０００１】
本発明は、コード記号から情報を読み取って入出の管理を行う入出管理システム及び入出管理方法に関するものである。
【背景技術】
【０００２】
近年、例えば原子力発電所におけるセキュリティ強化の観点からプラントなどの管理区域の入退域の管理が非常に煩雑になっている。例えば、原子力発電所に来客があった場合、来客は、原子力発電所の管理区域に入域する申請を総務課へ行う。この場合、来客は、所属や氏名、用件、入域場所などの必要事項を申請書類に記載して、原子力発電所の管理区域における入域許可を総務課に申請する。来客は、原子力発電所の管理区域に入域するゲートで、警備員によって身分証（例えば運転免許証）を用いた本人確認が実施され、総務課に申請した申請書類に基づいて入域許可が実施される。
【０００３】
また、職員が定例で持ち込む物品に関しても、原子力発電所の管理区域に入域する申請を総務課へ行う。この場合、職員は管理区域に入域する自らの申請と共に物品の申請を行う。例えば、職員は物品の申請を行う場合、所属や氏名、物品名、入域場所などの必要事項を申請書類に記載して、原子力発電所の管理区域における入域許可を総務課に申請する。職員が定例で持ち込む物品は、原子力発電所の管理区域に入域するゲートで、警備員によって総務課に申請した申請書類に基づいて入域許可が実施される。物品の入域が許可されれば、物品を持ち込んだことを記録しておく為に帳面に記帳する。
【０００４】
このような従来例に関連して特許文献１には、訪問者の本人認証を行う訪問者認証方法が開示されている。特許文献１によれば、データベースに訪問者の所属組織名、氏名のほかに、暗証番号を予め登録しておく。訪問者は訪問した際、携帯電話の表示画面に表示したコード記号を受付のリーダーにかざして、所属組織名、氏名のどちらか一つを読み取らせてサーバに送信するとともに、予め通知された暗証番号を入力する。サーバは、入力された各情報が、予めデータベースに登録された情報と一致した場合に訪問者の入場を許可する。
【先行技術文献】
【特許文献】
【０００５】
【特許文献１】特開２００９−０３２１８８号公報
【発明の概要】
【発明が解決しようとする課題】
【０００６】
ところで、従来例に係る原子力発電所の管理区域に入域する申請方法によれば、書面で入出域の管理を行っているので、特に多数の来客に対応する場合に、来客の身分証による本人確認や身分証と申請書類の内容の照合に時間がかかっていた。また、職員が定例で持ち込む物品（例えばデジタルカメラ）についても、書面で入出域の管理を行っているので、職員の身分証による本人確認や身分証と申請書類の内容の照合に時間がかかっていた。さらに、物品の入域が許可されれば、物品を持ち込んだことを記録しておく為に手書きで帳面に記帳する必要があり、時間と手間がかかっていた。また、特許文献１に係る訪問者認証方法は、氏名（所属組織名）およびパスワードで認証を実施しているため、認証を効率的に実施できない場合がある。
【０００７】
そこで、本発明はこのような従来例に係る課題を解決したものであって、入出管理を効率よく実施できるようにした入出管理システム及び入出管理方法を提供することを目的とする。
【課題を解決するための手段】
【０００８】
上述した課題を解決するために、本発明に係る入出管理システムは、コード記号を用いた入出管理システムであって、管理区域への入出を管理するための申請情報を入力するための情報入力部と、前記情報入力部により入力された申請情報をコード記号情報に変換してコード記号を発行するコード記号発行機と、前記コード記号発行機により発行されたコード記号から前記申請情報を読み取るリーダーと、前記リーダーにより読み取られた申請情報と前記情報入力部により入力された申請情報とを照合する入出管理部と、前記入出管理部により照合された結果を出力する出力部とを備えるものである。
【０００９】
また、上述した課題お解決するために、本発明に係る入出管理方法は、コード記号を用いた入出管理方法であって、管理区域への入出を管理するための申請情報を入力する第１のステップと、前記第１のステップで入力された前記申請情報をコード記号情報に変換してコード記号を発行する第２のステップと、前記第２のステップで発行された前記コード記号から前記申請情報を読み取る第３のステップと、前記第３のステップで読み取られた前記申請情報と前記第１のステップで入力された申請情報とを照合する第４のステップと、前記第４のステップで照合された結果を出力する第５のステップとを有するものである。
【００１０】
本発明において、前記コード記号発行機により発行されるコード記号には、コード記号の有効期限を示す情報が含まれる。これにより、有効期限を超過したコード記号は使用できなくなるのでセキュリティを向上できる。
【００１１】
コード記号発行機は、コード記号を粘着ラベルに印刷する。これにより、身分証にコード記号を貼り付けることができる。従って、身分証による本人確認とコード記号の読み取りを１つの媒体で共有できるので、コード記号の保持が容易になる。
【００１２】
リーダーは、管理区域に入域時にコード記号から申請情報を読み取り、入出管理部は、リーダーにより読み取られた申請情報と情報入力部により入力された申請情報とを照合して一致すると入出管理状態を入域状態に設定する。一方で、リーダーは、管理区域から退域時にコード記号から申請情報を読み取り、入出管理部は、リーダーにより読み取られた申請情報と情報入力部により入力された申請情報とを照合して一致すると入出管理状態を入域状態から退域状態に設定する。このように、入域状態と退域状態を確認することで、入出管理を確実に実施することができる。
【発明の効果】
【００１３】
本発明によれば、リーダーが、管理区域への入出を管理するための申請情報をコード記号から読み取り、リーダーにより読み取られた申請情報と情報入力部により入力された申請情報とを照合するものである。これにより、管理区域への入域および退域の管理を効率よく実施できるようになる。さらに、管理区域への入域および退域の履歴を電子的に記録できるようになる。
【図面の簡単な説明】
【００１４】
【図１】２次元コードを用いた入出管理システム１００の構成例を示す概略図である。
【図２】入出管理システム１００の構成例を示すブロック図である。
【図３】入出管理システム１００の動作例を示すフローチャートである。
【発明を実施するための形態】
【００１５】
続いて、図面を参照しながら本発明に係る入出管理システム及び入出管理方法の実施形態について説明する。本発明は、リーダーが、管理区域への入出を管理するための申請情報を２次元コードから読み取り、リーダーにより読み取られた申請情報と予め登録された申請情報とを照合することで、管理区域への入域および退域の管理を効率よく実施できるようにするものである。
【００１６】
図１に示す入出管理システム１００はコード記号を用いた入出管理システムであって、情報処理装置１、この情報処理装置１に接続されたコード記号発行機３、端末１０、この端末１０に接続されたリーダー９、端末１４、この端末１４に接続されたリーダー１３を備えている。コード記号として、バーコード、２次元コードがあり、この例では、バーコードよりも情報量が多い２次元コードを用いる。なお、２次元コードの種類には、ＱＲコード（登録商標）やデータマトリクスコードなどがある。
【００１７】
情報処理装置１は、本体装置２、モニタ４、キーボード５及びマウス６から構成され、モニタ４、キーボード５及びマウス６が本体装置２に接続されている。本体装置２はコード記号発行機３及び通信ネットワーク１７に接続されている。
【００１８】
キーボード５及びマウス６は情報入力部の一例であり、原子力発電所におけるプラントなどの管理区域への入出を管理するための申請情報を入力する際に使用される。キーボード５及びマウス６を操作して入力された申請情報は本体装置２に保存される。この申請情報には、所属や氏名、用件、入域場所、入退域時間、有効期間など情報が含まれる。申請情報に含まれる用件とは管理区域に入域して行う事柄である。また、申請情報に含まれる入退域時間とは、管理区域に入域する時刻と管理区域から退域する時刻である。なお、申請情報には、前述した情報以外の内容が含まれてもよい。
【００１９】
コード記号発行機３は、本体装置２から入力した申請情報をコード記号情報に変換して２次元コードを発行する。例えばコード記号発行機３は、２次元コードを粘着ラベルに印刷する。これにより、免許証などの身分証に２次元コードを貼り付けることができる。従って、身分証による本人確認と２次元コードの読み取りを１つの媒体で共有できるので、２次元コードの保持が容易になる。
【００２０】
２次元コードには、２次元コードの有効期限を示す情報が含まれている。この有効期限を示す情報は、管理区域に入域可能な期間を示す情報である。例えば、この有効期限は、「平成２１年１０月１日」〜「平成２１年１０月７日」などのように設定される。有効期限を超過すると、コード記号発行機３により発行された２次元コードは無効となる。これにより、有効期限を超過した２次元コードは使用できなくなるのでセキュリティを向上できる。
【００２１】
管理区域の最初の入り口である第１のゲート７には端末１０及びリーダー９が備えられ、第１のゲート７の後段に設置された第２のゲート８には端末１４及びリーダー１３が備えられている。この例で、第２のゲート８は、第１のゲート７の後段に設置されており、第１のゲート７を通過しなければ通過することができない。
【００２２】
リーダー９，１３は、２次元コードを照射する光源、２次元コードからの拡散反射光を捉える光学系や受光素子、受光素子からの出力信号をデジタル化する回路及びデジタル信号を演算処理してデコードする回路などで構成される。リーダー９，１３は、手で掴んで２次元コードに向けて光を照射するハンドヘルド型であるが、これに限らず、設置台などに置いてスキャンエリアに２次元コードをかざして読み取るプロジェクション型であってもよい。
【００２３】
リーダー９と端末１０はＵＳＢにより接続されている。端末１０はノート型であり、モニタ１１及びキーボード１２を備えている。リーダー９は、２次元コードに光を照射して２次元コードの反射光から申請情報を読み取る。リーダー９は、読み取った２次元コードの申請情報を端末１０に出力する。端末１０は、リーダー９から入力した申請情報を、通信ネットワーク１７を介して情報処理装置１に送信する。
【００２４】
情報処理装置１は、リーダー９により読み取られた申請情報とキーボード５などから入力されて予め登録された申請情報とを照合する。モニタ１１は出力部の一例であり、情報処理装置１により照合された結果を出力する。この例で、情報処理装置１は、リーダー９により読み取られた申請情報の名前と予め登録された申請情報の名前を照合する。情報処理装置１は、２つの名前が一致した場合には、入域許可を示す情報を端末１０に通信ネットワーク１７を介して送信し、２つの名前が不一致の場合には、入域禁止を示す情報を端末１０に通信ネットワーク１７を介して送信する。端末１０は、情報処理装置１から送信された入域許可又は入域禁止を示す情報を受信してモニタ１１に表示する。これにより、第１のゲート７に配属された警備員は、モニタ１１に表示された内容を確認して入域許可又は入域禁止を判断することができる。
【００２５】
第１のゲート７と同様に、第２のゲート８に設置されたリーダー１３と端末１４はＵＳＢにより接続されている。端末１４はノート型であり、モニタ１５及びキーボード１６を備えている。リーダー１３は、２次元コードに光を照射して２次元コードの反射光から申請情報を読み取る。リーダー１３は、読み取った２次元コードの申請情報を端末１４に出力する。端末１４は、リーダー１３から入力した申請情報を、通信ネットワーク１７を介して情報処理装置１に送信する。
【００２６】
情報処理装置１は、リーダー１３により読み取られた申請情報と予め登録された申請情報とを照合する。モニタ１５は出力部の一例であり、情報処理装置１により照合された結果を出力する。この例で、情報処理装置１は、リーダー１３により読み取られた申請情報の名前と予め登録された申請情報の名前を照合する。情報処理装置１は、２つの名前が一致した場合には、入域許可を示す情報を端末１４に通信ネットワーク１７を介して送信し、２つの名前が不一致の場合には、入域禁止を示す情報を端末１４に通信ネットワーク１７を介して送信する。端末１４は、情報処理装置１から送信された入域許可又は入域禁止を示す情報を受信してモニタ１５に表示する。なお、この例では、２つのゲートを設定したが、これに限らず、１つのゲートを設置してもよいし、２つ以上のゲートを設置してもよい。
【００２７】
続いて、図２を参照して情報処理装置１及び端末１０，１４の構成例について説明する。図２に示す端末１０は、ＣＰＵ（Central Processing Unit）１０ａ及びメモリ１０ｂを備えている。ＣＰＵ１０ａはリーダー９に接続され、リーダー９から入力した申請情報を、通信ネットワーク１７を介して情報処理装置１に送信する。メモリ１０ｂはメインメモリとして機能する。
【００２８】
情報処理装置１の本体装置２は、入出管理部２ａ及び記憶部２ｂを備えている。入出管理部２ａは、キーボード５及びマウス６が操作されて入力された申請情報を記憶部２ｂに出力する。記憶部２ｂは、入出管理部２ａから出力された申請情報を記憶する。入出管理部２ａは、ＣＰＵ１０ａから送信された申請情報の名前と記憶部２ｂに予め登録された申請情報の名前を照合する。
【００２９】
入出管理部２ａは、２つの名前が一致した場合には、入域許可を示す情報を端末１０のＣＰＵ１０ａに通信ネットワーク１７を介して送信し、２つの名前が不一致の場合には、入域禁止を示す情報をＣＰＵ１０ａに通信ネットワーク１７を介して送信する。ＣＰＵ１０ａは、入出管理部２ａから送信された入域許可又は入域禁止を示す情報を受信してモニタ１１に表示する。
【００３０】
同様に、端末１４は、ＣＰＵ１４ａ及びメモリ１４ｂを備えている。ＣＰＵ１４ａはリーダー１３に接続され、リーダー１３から入力した申請情報を、通信ネットワーク１７を介して情報処理装置１の入出管理部２ａに送信する。メモリ１４ｂはメインメモリとして機能する。
【００３１】
入出管理部２ａは、ＣＰＵ１４ａから送信された申請情報の名前と記憶部２ｂに予め登録された申請情報の名前を照合する。入出管理部２ａは、２つの名前が一致した場合には、入域許可を示す情報を端末１４のＣＰＵ１４ａに通信ネットワーク１７を介して送信し、２つの名前が不一致の場合には、入域禁止を示す情報をＣＰＵ１４ａに通信ネットワーク１７を介して送信する。ＣＰＵ１４ａは、入出管理部２ａから送信された入域許可又は入域禁止を示す情報を受信してモニタ１５に表示する。
【００３２】
続いて、図３を参照して入出管理システム１００の動作例について説明する。この例では、来客における入出管理について説明する。来客は、例えば原子力発電所における管理区域へ入域する際に、原子力発電所の総務課に申請書を提出する。来客がこの申請書を提出する方法は、書面であっても電子データであってもよい。申請書の内容には、所属や氏名、用件、入域場所、入退域時間、有効期間など情報が含まれる。これを条件として図３に示すステップＳＴ１で、情報処理装置１は、総務課の担当者によりキーボード５及びマウス６が操作されて申請書の内容が入力され、入出管理部２ａは申請情報を入力して記憶部２ｂに出力する。記憶部２ｂは、入出管理部２ａから出力された申請情報を記憶してステップＳＴ２に移行する。
【００３３】
ステップＳＴ２で、コード記号発行機３は、記憶部２ｂに記憶された申請情報をコード記号情報に変換して２次元コードを発行する。例えばコード記号発行機３は、２次元コードを粘着ラベルに印刷する。総務課の担当者は、案内所で来客に免許証などの身分証を提示してもらい、来客の本人確認を実施した際に来客本人に、粘着ラベルに印刷された２次元コードを渡す。来客は、粘着ラベルの剥離紙を剥がして免許証に２次元コードを貼り付ける。続いてステップＳＴ３に移行する。
【００３４】
ステップＳＴ３で、リーダー９は、コード記号発行機３により発行された２次元コードから申請情報を読み取る。例えば、来客は、免許証に貼り付けられた２次元コードをリーダー９の光源にかざす。リーダー９は、２次元コードからの拡散反射光を光学系や受光素子で捉えて、受光素子からの出力信号をデジタル化し、当該デジタル信号を演算処理してデコードして申請情報を読み取って端末１０のＣＰＵ１０ａに出力する。ＣＰＵ１０ａは、通信ネットワーク１７を介して申請情報を情報処理装置１の入出管理部２ａに送信してステップＳＴ４に移行する。
【００３５】
ステップＳＴ４，ＳＴ５で、入出管理部２ａは、リーダー９により読み取られた申請情報の名前と記憶部２ｂに記憶された申請情報の名前とを照合し、モニタ１１は、入出管理部２ａにより照合された結果を出力する。例えば、入出管理部２ａは、２つの名前が一致した場合には、入域許可を示す情報を端末１０のＣＰＵ１０ａに送信し、２つの名前が不一致の場合には、入域禁止を示す情報をＣＰＵ１０ａに送信する。また、入出管理部２ａは、申請情報から有効期限を取得して情報処理装置１内の日付情報と有効期限を比較し、有効期限が超過している場合には入域禁止を示す情報をＣＰＵ１０ａに送信する。ＣＰＵ１０ａはモニタ１１に入域許可又は入域禁止を示す情報と少なくとも申請情報の名前を表示させる。管理区域の最初の入り口である第１のゲート７において、警備員は、モニタ１１に表示された表示結果が入域許可であり、かつ、免許証の顔写真が本人の顔と同一であってさらに免許証の名前とモニタ１１に表示された名前が同一であれば入域許可とする。また、警備員は、表示結果又は免許証の内容のどちらか一方でも不一致であれば入域禁止とする。
【００３６】
また、第１のゲート７の後段に設置され、第１のゲート７を通過後に入域可能な第２のゲート８においては身分証が不要であり、２次元コードのみで入域可能である。これは、第１のゲート７において本人確認が既に実施されているので、第２のゲート８では、本人確認を実施する必要がないからである。これにより、第２のゲート８の通過を円滑に行うことができる。
【００３７】
この例で、第２のゲート８に設置されたリーダー１３は、２次元コードから申請情報を読み取り、端末１４のＣＰＵ１４ａに出力する。ＣＰＵ１４ａは、通信ネットワーク１７を介して申請情報を情報処理装置１の入出管理部２ａに送信する。入出管理部２ａは、リーダー１３により読み取られた申請情報の名前と記憶部２ｂに記憶された申請情報の名前とを照合し、照合結果を端末１４のＣＰＵ１４ａに送信する。ＣＰＵ１４ａは、照合結果に基づいて第２のゲート８のドア（不図示）を自動的に開閉制御する。これにより、第１のゲート７の後段に設置された第２のゲート８においては、２次元コードのみで入域可能となる。もちろん、第２のゲート８において、モニタ１５に入域許可又は入域禁止を示す情報を表示させて、警備員により入域管理を実施するようにしてもよい。
【００３８】
このように本発明に係る入出管理システム１００によれば、リーダー９が、管理区域への入出を管理するための申請情報を２次元コードから読み取り、リーダー９により読み取られた申請情報と記憶部２ｂに登録された申請情報とを照合するものである。これにより、管理区域への入域および退域の管理を効率よく実施できるようになる。さらに、管理区域への入域および退域の履歴を電子的に記録できるようになる。
【００３９】
この例で、リーダー９は、管理区域に入域時に２次元コードから申請情報を読み取り、入出管理部２ａは、リーダー９により読み取られた申請情報と記憶部２ｂに登録された申請情報とを照合して一致すると入出管理状態を入域状態に設定する。また、リーダー９は、管理区域から退域時に２次元コードから申請情報を読み取り、入出管理部２ａは、リーダー９により読み取られた申請情報と記憶部２ｂに登録された申請情報とを照合して一致すると入出管理状態を入域状態から退域状態に設定する。このように、入域状態と退域状態を確認することで、入出管理を確実に実施することができる。
【００４０】
なお、実施例では、来客における入出管理について説明したが、職員における入出管理も同様に実施可能である。この場合、免許証に替えて職員用のＩＣカードを用いる。さらに、職員が定例で持ち込む物品に関しても同様に入出管理が実施可能である。例えば、職員は、管理区域へ物品を持ち込む際に、総務課に定例持ち込み物品の申請書を提出する。申請書の内容には、物品名、持込人、入域場所、入域期間などの情報が含まれる。情報処理装置１は、総務課の担当者により物品の申請書の内容が入力され、入出管理部２ａは物品の申請情報を入力して記憶部２ｂに記憶する。さらに、情報処理装置１は、総務課の担当者により物品を持ち込む職員の申請書の内容が入力され、入出管理部２ａは職員の申請情報を入力して記憶部２ｂに記憶する。
【００４１】
コード記号発行機３は、記憶部２ｂに記憶された物品及び職員の申請情報をコード記号情報に変換して２次元コードを発行する。総務課の担当者は、案内所で職員にＩＣカードなどの身分証を提示してもらい、職員の本人確認を実施した際に職員本人に、粘着ラベルに印刷された２次元コードを渡す。職員はＩＣカードに２次元コードを貼り付ける。
【００４２】
リーダー９は、コード記号発行機３により発行された２次元コードから職員及び物品の申請情報を読み取って端末１０のＣＰＵ１０ａに出力する。ＣＰＵ１０ａは、通信ネットワーク１７を介して職員及び物品の申請情報を情報処理装置１の入出管理部２ａに送信する。
【００４３】
入出管理部２ａは、リーダー９により読み取られた申請情報の職員名と記憶部２ｂに記憶された申請情報の職員名とを照合すると共に、リーダー９により読み取られた申請情報の物品名と記憶部２ｂに記憶された申請情報の物品名とを照合する。ＣＰＵ１０ａは、入出管理部２ａから照合結果を受信してモニタ１１に入域許可又は入域禁止を示す情報を表示させる。このように、職員が定例で持ち込む物品に関しても同様に入出管理が実施可能である。
【００４４】
なお、実施例では、コード記号発行機３が、本体装置２から入力した申請情報をコード記号情報に変換して２次元コードを発行したが、これに限らず、本体装置２が申請情報をコード記号情報に変換し、コード記号発行機３は２次元コードを発行する機能のみ持たせるようにしてもよい。すなわち、コード記号発行機３は、本体装置２により変換されたコード記号情報をプリントアウトする印刷機のみの機能を持たせるようにしてもよい。
【００４５】
また、実施例では、コード記号発行機３が２次元コードを粘着ラベルに印刷する例を示したが、これに限らず、２次元コードを用紙に印刷するようにしてもよい。
【産業上の利用可能性】
【００４６】
本発明は、管理区域への入域および退域の管理を行うシステムに適用して極めて好適である。
【符号の説明】
【００４７】
２ａ・・・入出管理部、３・・・コード記号発行機、５・・・キーボード（情報入力部）、６・・・マウス（情報入力部）、９，１３・・・リーダー、１１，１５・・・モニタ（出力部）、１００・・・入出管理システム
【図２】
2012022636.tif 000003
【図３】
2012022636.tif 000004
【図１】
2012022636.tif 000005